(57)【要約】【課題】３Ｇシステムと、ＬＴＥシステムが共存する通信システムにおいて、全てのサービスを提供し、かつ、高速な通信速度でサービスを提供する。【解決手段】３Ｇシステムの無線ネットワーク制御装置は、要求されたサービスの通信回線をＬＴＥ基地局が設定可能か否かを判定し、設定可能であると判定した場合には、要求元の移動体通信端末に対して、ＬＴＥ基地局宛の接続要求の再送信を依頼する。また、ＬＴＥシステムのＬＴＥ基地局は、要求されたサービスの通信回線を自ら設定可能か否かを判定し、設定可能でないと判定した場合には、要求元の移動体通信端末に対して、基地局宛の接続要求の再送信を依頼する。【選択図】図２
2010278565.tif 000002
【特許請求の範囲】
【請求項１】
移動体通信端末から第１のサービスに関する接続を要求する第１のサービス接続要求を受け付けた場合に、前記第１のサービス接続要求の要求元の移動体通信端末に対して、自装置よりも高速な通信速度の通信回線を設定することが可能な第二の制御装置宛の第１のサービス接続要求の再送信を依頼する第一の再送信依頼部を有する第一の制御装置と、
前記移動体通信端末から第２のサービスに関する接続を要求する第２のサービス接続要求を受け付けた場合に、前記第２のサービス接続要求の要求元の移動体通信端末に対して、第２のサービスの通信回線を設定することが可能な第一の制御装置宛の第２のサービス接続要求の再送信を依頼する第二の再送信依頼部を有する第二の制御装置と
を有することを特徴とする通信システム。
【請求項２】
前記第一の制御装置は、
前記移動体通信端末から受け付けた第１のサービス接続要求に応じて、前記移動体通信端末に提供される通信回線を介して、移動体通信端末がやり取りするデータ種別に応じたデータ量を判定するデータ量判定部と、
前記データ量判定部により判定されたデータ量が所定の閾値以下である場合には、前記移動体通信端末と第１のサービスを提供するサービス提供装置との間に通信回線を設定する通信回線設定部とをさらに有し、
前記第一の再送信依頼部は、前記データ量判定部により判定されたデータ量が所定の閾値よりも大きい場合には、前記第二の制御装置宛の第１のサービス接続要求の再送信を依頼することを特徴とする請求項１に記載の通信システム。
【請求項３】
前記第一の制御装置は、
各第一の制御装置に付与されている制御装置識別情報に対応付けて、通信回線を設定することが可能な状態にあるか否かを示した設定可否情報を記憶する第一の設定可否情報記憶部と、
前記移動体通信端末から受け付けた第２のサービス接続要求に対して通信回線の設定ができない状態にある場合に、前記第一の設定可否情報記憶部から通信回線を設定することが可能な状態にあることを示す設定可否情報に対応する制御装置識別情報を取得し、取得した制御装置識別情報によって識別される第一の制御装置宛の第２のサービス接続要求の再送信を依頼する第三の再送信依頼部と
をさらに有することを特徴とする請求項１に記載の通信システム。
【請求項４】
前記第二の制御装置は、
各第二の制御装置に付与されている制御装置識別情報に対応付けて、各第二の制御装置が通信回線を設定することが可能な状態にあるか否かを示した設定可否情報を記憶する第二の設定可否情報記憶部と、
前記移動体通信端末から受け付けた第１のサービス接続要求に対して通信回線の設定ができない状態にある場合に、前記第二の設定可否情報記憶部から通信回線を設定することが可能な状態にあることを示す設定可否情報に対応する制御装置識別情報を取得し、取得した制御装置識別情報によって識別される第二の制御装置宛の第１のサービス接続要求の再送信を依頼する第四の再送信依頼部と
をさらに有することを特徴とする請求項１に記載の通信システム。
【請求項５】
サービス接続要求の送信元の移動体通信端末に対して、通信回線を設定することが可能な他の制御装置宛の接続要求を再送信するように依頼する再送信依頼部を有することを特徴とする制御装置。
【請求項６】
前記再送信依頼部は、サービス接続要求の送信元の移動体通信端末に対して、自装置よりも高速な通信速度の通信回線を設定することが可能な他の制御装置宛の接続要求を再送信するように依頼することを特徴とする請求項５に記載の制御装置。
【請求項７】
移動体通信端末からのサービス接続要求に応じて、移動体通信端末の接続を制御する第一の制御装置および第二の制御装置を有する通信システムにより行われる通信方法であって、
前記第一の制御装置は、
移動体通信端末から第１のサービスに関する接続を要求する第１のサービス接続要求を受け付けた場合に、前記第１のサービス接続要求の要求元の移動体通信端末に対して、自装置よりも高速な通信速度の通信回線を設定することが可能な第二の制御装置宛の第１のサービス接続要求の再送信を依頼する第一の再送信依頼ステップを含み、
前記第二の制御装置は、
前記移動体通信端末から第２のサービスに関する接続を要求する第２のサービス接続要求を受け付けた場合に、前記第２のサービス接続要求の要求元の移動体通信端末に対して、第２のサービスの通信回線を設定することが可能な第一の制御装置宛の第２のサービス接続要求の再送信を依頼する第二の再送信依頼ステップを含んだことを特徴とする通信方法。
【発明の詳細な説明】
【技術分野】
【０００１】
複数の通信規格によりユーザにサービスを提供する通信システム、通信方法、および通信回線を設定する制御装置に関する。
【背景技術】
【０００２】
従来、３Ｇ（第三世代）と呼ばれる通信規格により、移動体通信端末に対して、通話に関する音声データやパケットデータなどを提供するための３Ｇシステムがある（例えば、特許文献１参照）。この３Ｇシステムは、移動体通信端末、移動体通信端末と無線電波のやり取りを行なう基地局（ＢＴＳ：Ｂａｓｅ  Ｔｒａｎｓｃｉｅｖｅｒ  Ｓｔａｔｉｏｎ）、基地局に接続された無線ネットワーク制御装置（ＲＮＣ：Ｒａｄｉｏ  Ｎｅｔｗｏｒｋ  Ｃｏｎｔｒｏｌｌｅｒ）および無線ネットワーク制御装置に接続された無線交換局（ＭＭＳ：Ｍｏｂｉｌｅ  Ｍｕｌｔｉｍｅｄｉａ  Ｓｗｉｔｃｈｉｎｇ  Ｓｙｓｔｅｍ）を有する。
【０００３】
移動体通信端末は、サービスの提供を受ける際に、最も高い受信レベルの無線電波を発信している基地局を介して、無線ネットワーク制御装置に対して接続要求を送信する。そして、無線ネットワーク制御装置は、接続要求を受信すると、サービスを提供するサーバと、接続要求の要求元の移動体通信端末との間で無線交換局を介した通信回線を設定する。
【０００４】
また、ＬＴＥ（Ｌｏｎｇ  Ｔｅｒｍ  Ｅｖｏｌｕｔｉｏｎ）と呼ばれる通信規格により、３Ｇシステムよりも高速な通信速度でサービスを提供するＬＴＥシステムが近年開発されている。このＬＴＥシステムは、移動体通信端末と、基地局としての機能および制御装置としての機能を備えるＬＴＥ基地局と、コアネットワーク装置とを有する。なお、ＬＴＥ基地局は、ｅＮｏｄｅＢ（ｅｖｏｌｖｅｄ  ＮｏｄｅＢ）とも言い、また、コアネットワーク装置は、アクセスゲートウェイ（ａＧＷ：ａｃｃｅｓｓ  Ｇａｔｅｗａｙ）とも言う。
【０００５】
ＬＴＥ基地局は、移動体通信端末から接続要求を受信すると、サービスを提供するサーバと、接続要求の要求元の移動体通信端末との間で、コアネットワーク装置を介した通信回線を設定する。
【先行技術文献】
【特許文献】
【０００６】
【特許文献１】特開２００１−１６６５２号公報
【発明の概要】
【発明が解決しようとする課題】
【０００７】
ところで、上記した３ＧシステムおよびＬＴＥシステムが共存する通信システムでは、以下に説明する問題点がある。
【０００８】
すなわち、移動体通信端末は、サービスを受ける際に、基地局からの無線電波の受信レベルがＬＴＥ基地局からの無線電波の受信レベルよりも高ければ、基地局を介して無線ネットワーク制御装置に対して接続要求を送信する。この場合に、無線ネットワーク制御装置が通信回線を設定するので、ＬＴＥシステムにより高速な通信速度で提供することができるサービスであっても、低速な通信速度でサービスを提供してしまうという問題点がある。
【０００９】
また、ＬＴＥシステムには、３Ｇシステムが提供可能な各種サービスの中に、提供できないサービス、例えば、通話サービスなどがそもそもあり、ＬＴＥ基地局が接続要求を受け付けたとしても、通信回線を設定できないことがある。その結果、移動体通信端末のユーザにサービスを提供できないことがあるという問題点がある。
【００１０】
そこで、開示の技術は、上述した従来技術の課題を解決するためになされたものであり、全てのサービスを提供することが可能であり、かつ、高速な通信速度でサービスを提供することが可能な通信システム、通信方法および制御装置を提供することを目的とする。
【課題を解決するための手段】
【００１１】
開示の通信システムは、移動体通信端末から第１のサービスに関する接続を要求する第１のサービス接続要求を受け付けた場合に、前記第１のサービス接続要求の要求元の移動体通信端末に対して、自装置よりも高速な通信速度の通信回線を設定することが可能な第二の制御装置宛の第１のサービス接続要求の再送信を依頼する第一の再送信依頼部を有する第一の制御装置と、前記移動体通信端末から第２のサービスに関する接続を要求する第２のサービス接続要求を受け付けた場合に、前記第２のサービス接続要求の要求元の移動体通信端末に対して、第２のサービスの通信回線を設定することが可能な第一の制御装置宛の第２のサービス接続要求の再送信を依頼する第二の再送信依頼部を有する第二の制御装置とを有する。
【発明の効果】
【００１２】
開示の通信システムによれば、全てのサービスを提供することが可能であり、かつ、高速な通信速度でサービスを提供することが可能である。
【図面の簡単な説明】
【００１３】
【図１】図１は、実施例１に係る通信システムの概要を説明するための図である。
【図２】図２は、実施例１に係る通信システムの概要を説明するための図である。
【図３】図３は、移動体通信端末の構成を示すブロック図である。
【図４】図４は、受信レベル一覧の一例を示した図である。
【図５】図５は、無線ネットワーク制御装置の構成を示すブロック図である。
【図６】図６は、管理テーブル記憶部に記憶される情報の一例を示した図である。
【図７】図７は、ＬＴＥ基地局の構成を示すブロック図である。
【図８】図８は、着信接続処理を説明するための図である。
【図９】図９は、移動体通信端末による接続応答受信処理の流れを示すフローチャート図である。
【図１０】図１０は、無線ネットワーク制御装置による通信回線設定処理の流れを示すフローチャート図である。
【図１１】図１１は、ＬＴＥ基地局による通信回線設定処理の流れを示すフローチャート図である。
【図１２】図１２は、実施例２に係る無線ネットワーク制御装置の構成を示す図である。
【図１３】図１３は、実施例２に係る無線ネットワーク制御装置による通信回線設定処理の流れを示すフローチャート図である。
【図１４】図１４は、周波数情報の一例を示した図である。
【図１５】図１５は、実施例３に係る無線ネットワーク制御装置の構成を示す図である。
【図１６】図１６は、実施例３に係る管理テーブル記憶部に記憶される情報の一例を示した図である。
【図１７】図１７は、実施例３に係る無線ネットワーク制御装置による通信回線設定処理の流れを示すフローチャート図である。
【図１８】図１８は、設定可否判定処理の流れを示すフローチャート図である。
【発明を実施するための形態】
【００１４】
以下に、通信システム、通信方法および制御装置の一実施形態を説明する。
【実施例１】
【００１５】
［実施例１に係る通信システムの概要］
図１および図２は、実施例１に係る通信システムの概要を説明するための図である。実施例１に係る通信システムは、図１に示すように、基地局、無線ネットワーク制御装置および無線交換局からなる３Ｇシステムと、ＬＴＥ基地局およびコアネットワーク装置からなるＬＴＥシステムとが共存する通信システムである。
【００１６】
このような構成の下、実施例１に係る通信システムは、移動体通信端末のユーザに対してサービスを提供することを概要とし、特に、全てのサービスを提供することが可能であり、かつ、高速な通信速度でサービスを提供することが可能である。
【００１７】
すなわち、移動体通信端末は、基地局およびＬＴＥ基地局から発信されている無線電波の受信レベルをそれぞれ測定し、最も高い受信レベルの無線電波を発信している基地局に対して、提供を受けるサービスに関する接続を要求する接続要求（RRC Connection Request）を送信する。
【００１８】
実施例１に係る通信システムの無線ネットワーク制御装置は、移動体通信端末から第１のサービスに関する接続を要求する第１のサービス接続要求を受け付けた場合に、第１のサービス接続要求の要求元の移動体通信端末に対して、自装置よりも高速な通信速度の通信回線を設定することが可能なＬＴＥ基地局宛の第１のサービス接続要求の再送信を依頼する。
【００１９】
例えば、図２の（Ａ）に示すように、移動体通信端末が、基地局を介して無線ネットワーク制御装置に接続要求を送信したものとする。ここで、無線ネットワーク制御装置は、要求されたサービスの種別に基づいて、ＬＴＥ基地局が通信回線を設定可能か否か判定し、設定可能であると判定した場合には、要求元の移動体通信端末に対して、ＬＴＥ基地局宛の接続要求の再送信を依頼する。
【００２０】
再送信依頼を受信した移動体通信端末は、ＬＴＥ基地局に対して接続要求を再び送信する。接続要求を受信したＬＴＥ基地局は、サービスを提供するサーバと、接続要求の要求元の移動体通信端末との間で、コアネットワーク装置を介した通信回線を設定し、移動体通信端末に対して、接続が完了したことを示すメッセージ（RRC Connection Setup）を送信する。
【００２１】
このように、実施例１に係る通信システムによれば、ＬＴＥシステムによって提供可能なサービスについては、ＬＴＥシステムからサービスを提供するので、高速な通信速度でサービスを提供することが可能である。
【００２２】
また、ＬＴＥ基地局は、移動体通信端末から第２のサービスに関する接続を要求する第２のサービス接続要求を受け付けた場合に、第２のサービス接続要求の要求元の移動体通信端末に対して、第２のサービスの通信回線を設定することが可能な無線ネットワーク制御装置宛の第２のサービス接続要求の再送信を依頼する。
【００２３】
例えば、図２の（Ｂ）に示すように、移動体通信端末が接続要求を、ＬＴＥ基地局に対して送信したものとする。接続要求を受信したＬＴＥ基地局は、要求されたサービスの種別に基づいて、自ら通信回線を設定可能か否か判定し、設定可能でないと判定した場合には、移動体通信端末に対して、無線ネットワーク制御装置宛の接続要求の再送信を依頼する。
【００２４】
接続要求の再送信依頼を受信した移動体通信端末は、基地局を介して無線ネットワーク制御装置に対して接続要求を再び送信する。接続要求を受信した無線ネットワーク制御装置は、サービスを提供するサーバと、接続要求の要求元の移動体通信端末との間で無線交換局を介した通信回線を設定し、移動体通信端末に対して、接続が完了したことを示すメッセージ（RRC Connection Setup）を送信する。
【００２５】
このように、実施例１に係る通信システムによれば、ＬＴＥシステムによって提供できないサービスについては、３Ｇシステムからサービスを提供するので、全てのサービスを提供することが可能である。
【００２６】
［通信システムの構成］
（移動体通信端末）
図３は、移動体通信端末の構成を示すブロック図である。移動体通信端末１０は、図３に示すように、共用部１１と、メモリ１２と、ベースバンド処理部１３と、送信部１４と、受信部１５と、制御部１６とを有する。
【００２７】
共用部１１は、アンテナなどを有し、各基地局との間で無線電波のやり取りを行なう。メモリ１２は、送信部１４、受信部１５または制御部１６による各種処理に必要なデータおよびプログラムを格納する。また、ベースバンド処理部１３は、送信部１４から送信される信号や、受信部１５が受け付けた信号を必要に応じて変調する。また、送信部１４は、無線電波の送信処理を実行する。
【００２８】
受信部１５は、受信レベル測定部１５ａと、受信レベル比較部１５ｂと有し、無線電波の受信処理を実行する。
【００２９】
図４は、受信レベル一覧の一例を示した図である。受信レベル測定部１５ａは、基地局から発信されている無線電波の受信レベルを測定する。具体的には、受信レベル測定部１５ａは、ユーザからのイベントを受け付けた場合、例えば、ユーザからサービスの開始指令を受け付けた場合に、基地局から発信されている無線電波の受信レベルを測定する。そして、受信レベル測定部１５ａは、図４に示すように、受信した無線電波の周波数を列挙した受信レベル一覧を生成し、無線電波の周波数に対応付けて、無線電波の受信レベル値を格納する。
【００３０】
受信レベル比較部１５ｂは、無線電波の受信レベルを比較して、接続要求を送信する宛先の一の基地局を選択する。具体的には、受信レベル比較部１５ｂは、受信レベル測定部１５ａによって生成された受信レベル一覧を参照して、受信レベルが最も高い周波数の無線電波を発信している基地局を最初に接続要求を送信すべき基地局として選択する。
【００３１】
制御部１６は、制御プログラム、各種の処理手順などを規定したプログラムおよび所要データを格納するための内部メモリを有し、これらによって種々の処理を実行する。具体的には、制御部１６は、接続要求送信制御部１６ａと、接続処理部１６ｂと、再送信制御部１６ｃとを有する。
【００３２】
接続要求送信制御部１６ａは、各基地局の内で、受信レベルが最も高い無線電波を発信している基地局に対して、提供を受けるサービスを識別するサービス識別情報を含んだ接続要求を送信する。具体的には、接続要求送信制御部１６ａは、受信レベル比較部１５ｂによって選択された基地局に対して、ユーザが所望するサービスのサービス識別情報を含んだ接続要求を送信する。
【００３３】
接続処理部１６ｂは、接続要求に対する応答として、基地局から受信した情報が、RRC Connection Setupであるか、接続要求の再送信依頼であるかを判定する。ここで、接続処理部１６ｂは、RRC Connection Setupであると判定した場合に、設定された通信回線に対する接続処理を行う。
【００３４】
再送信制御部１６ｃは、接続処理部１６ｂによって返信された情報が接続要求の再送信依頼であると判定されると、接続要求の再送信依頼に制御装置識別情報が含まれているか否かを判定する。ここで、再送信制御部１６ｃは、制御装置識別情報が含まれていないと判定した場合に、既存の接続要求の送信処理を実行する。つまり、再送信制御部１６ｃは、受信レベルが最も高い無線電波を発信している基地局に対して、サービス識別情報を含まない接続要求を送信する。
【００３５】
一方では、再送信制御部１６ｃは、制御装置識別情報が含まれていると判定した場合に、制御装置識別情報に対応する制御装置に接続要求を再送信する。例えば、再送信制御部１６ｃは、基地局を介して無線ネットワーク制御装置２０からＬＴＥ基地局３０の制御装置識別情報を含んだ接続要求の再送信依頼を受信すると、ＬＴＥ基地局３０に対して接続要求を再送信する。
【００３６】
また、再送信制御部１６ｃは、ＬＴＥ基地局３０から無線ネットワーク制御装置２０の制御装置識別情報を含んだ接続要求の再送信依頼を受信すると、再送信依頼に含まれる制御装置識別情報に対応する無線ネットワーク制御装置２０の下位にある各基地局の内、１の基地局を接続要求の再送信先として選択する。そして、再送信制御部１６ｃは、選択した基地局を介して無線ネットワーク制御装置２０に接続要求を再送信する。
【００３７】
（３Ｇシステム）
基地局（ＢＴＳ：Base Transceiver Station）は、移動体通信端末１０と無線電波のやり取りを行なう。また、無線交換局（ＭＭＳ：Mobile Multimedia Switching Center）は、サーバから配信されるデータを無線ネットワーク制御装置２０に送信することや、他の無線交換局との間でデータのやり取りを行う。
【００３８】
図５は、無線ネットワーク制御装置の構成を示すブロック図である。無線ネットワーク制御装置２０（ＲＮＣ：Radio Network Controller）は、サービスを提供するサーバと、接続要求の要求元の移動体通信端末１０との間で無線交換局を介した通信回線を設定する。具体的には、制御装置２０は、図５に示すように、外部ＩＦ部２１と、メモリ２２と、Ｃ−Ｐｌａｎｅ処理部２３と、Ｕ−Ｐｌａｎｅ処理部２４と、制御部２５とを有する。
【００３９】
外部ＩＦ部２１は、出入力ポートなどを有し、基地局または無線交換局との間で情報のやり取りを行なう。メモリ２２は、Ｃ−Ｐｌａｎｅ処理部２３、Ｕ−Ｐｌａｎｅ処理部２４および制御部２５による各種処理に必要なデータおよびプログラムを記憶する。また、メモリ２２は、管理テーブル記憶部２２ａを有する。
【００４０】
図６は、管理テーブル記憶部に記憶される情報の一例を示した図である。管理テーブル記憶部２２ａは、制御装置を識別する制御装置識別情報に対応付けて、各システムの制御装置によって通信回線の設定が可能なサービスを識別するサービス識別情報を記憶する。
【００４１】
具体的には、管理テーブル記憶部２２ａは、図６に示すように、サービス識別情報に対応付けて、基地局が発信する無線電波の周波数コード（例えば、σ―１）、無線交換局およびコアネットワーク装置を識別する無線交換局識別情報（例えば、ＭＭＳ＃Ｘや、ａＧＷ＃Ｙ）、無線ネットワーク制御装置２０およびＬＴＥ基地局３０を識別する制御装置識別情報（例えば、ＲＮＣ＃ａや、ｅＮｏｄｅＢ＃ｃ）、基地局を識別する基地局識別情報（例えば、ＢＴＳ＃σ）、無線電波が形成するセクタの位置を示す位置情報（ＬＡＩ）を記憶する。また、管理テーブル記憶部２２ａは、サービス識別情報に対応付けて、システムの種別を識別するシステム識別情報を記憶する。
【００４２】
Ｃ−Ｐｌａｎｅ処理部２３は、移動体通信端末１０から外部ＩＦ部２１を介して受け付けた情報から通信制御に係る情報（例えば、周波数帯情報や移動体通信端末条件などのＣ−Ｐｌａｎｅに含まれている情報）を抽出して制御部２５に入力する。また、Ｕ−Ｐｌａｎｅ処理部２４は、移動体通信端末１０から外部ＩＦ部２１を介して受け付けたユーザデータを必要に応じて変換し、無線交換局へ中継する。また、無線交換局から基地局へ中継する。
【００４３】
制御部２５は、制御プログラム、各種の処理手順などを規定したプログラムおよび所要データを格納するための内部メモリを有し、これらによってプロトコル処理、呼処理、保守処理など種々の処理を実行する。また、制御部２５は、サービス判定部２５ａと、再送信依頼送信部２５ｂと、通信回線設定部２５ｃとを有する。
【００４４】
サービス判定部２５ａは、移動体通信端末１０から受信した接続要求に含まれているサービス識別情報を抽出し、接続を要求されたサービスの通信回線をＬＴＥ基地局３０が設定可能か否かを判定する。例えば、パケットサービスのサービス識別情報を抽出した場合に、サービス判定部２５ａは、管理テーブル記憶部２２ａを参照して、ＬＴＥ基地局３０がパケットサービスに関する通信回線を設定可能であると判定する。また、音声サービスのサービス識別情報を抽出した場合に、サービス判定部２５ａは、管理テーブル記憶部２２ａを参照して、ＬＴＥ基地局３０が音声サービスに関する通信回線を設定できないと判定する。
【００４５】
再送信依頼送信部２５ｂは、ＬＴＥ基地局３０が通信回線を設定可能であると判定した場合に、接続要求の要求元の移動体通信端末１０に対して、ＬＴＥ基地局３０の制御装置識別情報を含んだ接続要求の再送信依頼を送信する。
【００４６】
具体的には、再送信依頼送信部２５ｂは、サービス判定部２５ａにてＬＴＥ基地局３０が通信回線を設定可能であると判定した場合に、ＬＴＥシステムに対応する制御装置識別情報を管理テーブルから取得する。そして、再送信依頼送信部２５ｂは、接続要求の要求元の移動体通信端末１０に対して取得した制御装置識別情報を含んだ接続要求の再送信依頼を送信する。
【００４７】
通信回線設定部２５ｃは、ＬＴＥ基地局３０が通信回線を設定できないと判定した場合に、サービスを提供するサーバと、接続要求の要求元の移動体通信端末１０との間で無線交換局を介した通信回線を設定する。そして、通信回線設定部２５ｃは、接続要求の要求元の移動体通信端末１０に対して、RRC Connection Setupを送信する。
【００４８】
（ＬＴＥシステム）
コアネットワーク装置（ａＧＷ：Access Gateway）は、サーバから配信されるパケットデータをＬＴＥ基地局３０に送信する。
【００４９】
図７は、ＬＴＥ基地局３０の構成を示すブロック図である。ＬＴＥ基地局３０は、パケットサービスを提供するサーバと、接続要求の要求元の移動体通信端末１０との間で、コアネットワーク装置を介した通信回線を設定する。具体的には、ＬＴＥ基地局３０は、図７に示すように、外部ＩＦ部３１と、メモリ３２と、Ｃ−Ｐｌａｎｅ処理部３３と、Ｕ−Ｐｌａｎｅ処理部３４と、制御部３５とを有し、無線ネットワーク制御装置２０の構成と以下に説明する点が異なる。
【００５０】
すなわち、外部ＩＦ部３１は、出入力ポートやアンテナなどを有し、移動体通信端末１０またはコアネットワーク装置との間で情報のやり取りを行なう。
【００５１】
サービス判定部３５ａは、移動体通信端末１０から受信した接続要求に含まれているサービス識別情報を抽出し、接続を要求されたサービスの通信回線を自ら設定可能か否かを判定する。例えば、パケットサービスのサービス識別情報を抽出した場合に、サービス判定部３５ａは、管理テーブル記憶部２２ａを参照して、自らケットサービスに関する通信回線を設定可能であると判定する。また、音声サービスのサービス識別情報を抽出した場合に、サービス判定部３５ａは、管理テーブル記憶部２２ａを参照して、自ら音声サービスに関する通信回線を設定できないと判定する。
【００５２】
再送信依頼送信部３５ｂは、自ら通信回線を設定できないと判定した場合に、接続要求の要求元の移動体通信端末１０に対して、無線ネットワーク制御装置２０の制御装置識別情報を含んだ接続要求の再送信依頼を送信する。
【００５３】
具体的には、再送信依頼送信部３５ｂは、サービス判定部３５ａが自ら通信回線を設定できないと判定した場合に、３Ｇシステムに対応する制御装置識別情報を管理テーブルから取得する。そして、再送信依頼送信部２５ｂは、接続要求の要求元の移動体通信端末１０に対して取得した制御装置識別情報を含んだ接続要求の再送信依頼を送信する。
【００５４】
通信回線設定部３５ｃは、自ら通信回線を設定可能である判定した場合に、サービスを提供するサーバと、接続要求の要求元の移動体通信端末１０との間でコアネットワーク装置を介した通信回線を設定する。そして、通信回線設定部３５ｃは、接続要求の要求元の移動体通信端末１０に対して、RRC Connection Setupを送信する。
【００５５】
図８は、着信接続処理を説明するための図である。以下では、図８を参照しつつ、実施例１に係る通信システムによる通信回線の設定後の着信接続処理について説明する。図８に示すように、無線交換局が基地局を介して、着信先の移動体通信端末１０を探索するためのページングを行う。これに対し、移動体通信端末１０は、基地局およびＬＴＥ基地局３０から発信されている無線電波の受信レベルをそれぞれ測定し、最も高い受信レベルの無線電波を発信している基地局に対して、接続要求を送信する。
【００５６】
無線ネットワーク制御装置２０は、要求されたサービスの通信回線をＬＴＥ基地局３０が設定可能か否かを判定し、設定可能であると判定した場合には、要求元の移動体通信端末に対して、ＬＴＥ基地局３０宛の接続要求の再送信を依頼する。また、無線ネットワーク制御装置２０は、ＬＴＥ基地局３０が設定できないと判定した場合には、自ら通信回線を設定し、移動体通信端末に対して、RRC Connection Setupを送信する。
【００５７】
ＬＴＥ基地局３０は、要求されたサービスの通信回線を自ら設定可能か否かを判定し、設定できないと判定した場合には、要求元の移動体通信端末に対して、基地局宛の接続要求の再送信を依頼する。また、ＬＴＥ基地局３０は、自ら設定可能である判定した場合には、自ら通信回線を設定し、移動体通信端末に対して、RRC Connection Setupを送信する。
【００５８】
［通信システムによる処理］
（移動体通信端末）
図９は、移動体通信端末による接続応答受信処理の流れを示すフローチャート図である。図９に示すように、接続処理部１６ｂは、接続要求に対する応答を受信すると（ステップＳ１０１肯定）、受信した応答が、RRC Connection Setupであるか、接続要求の再送信依頼であるかを判定する（ステップＳ１０２）。
【００５９】
ここで、RRC Connection Setupであると判定すると（ステップＳ１０２肯定）、接続処理部１６ｂは、設定された通信回線に対する接続処理を行う（ステップＳ１０３）。
【００６０】
一方では、接続要求の再送信依頼であると判定すると（ステップＳ１０２否定）、再送信制御部１６ｃは、接続要求の再送信依頼に制御装置識別情報が含まれているか否かを判定する（ステップＳ１０４）。ここで、制御装置識別情報が含まれていない場合には（ステップＳ１０４否定）、接続要求送信制御部１６ａは、受信レベルが最も高い無線電波を発信している基地局に対して、サービス識別情報を含まない接続要求を再送信する（ステップＳ１０５）。そして、接続処理部１６ｂは、接続要求に対する応答を待機する（ステップＳ１０１否定）。
【００６１】
一方では、制御装置識別情報が含まれている場合には（ステップＳ１０４肯定）、接続要求送信制御部１６ａは、再送信依頼に含まれる制御装置識別情報に対応する制御装置に接続要求を再送信する（ステップＳ１０６）。そして、接続処理部１６ｂは、接続要求に対する応答を待機する（ステップＳ１０１否定）。
【００６２】
（無線ネットワーク制御装置）
図１０は、無線ネットワーク制御装置による通信回線設定処理の流れを示すフローチャート図である。図１０に示すように、サービス判定部２５ａは、移動体通信端末１０から接続要求を受信すると（ステップＳ２０１肯定）、要求されたサービスの通信回線をＬＴＥ基地局３０が設定可能か否かを判定する（ステップＳ２０２）。
【００６３】
ここで、ＬＴＥ基地局３０が設定できないと判定した場合には（ステップＳ２０２否定）、通信回線設定部２５ｃは、自ら通信回線を設定し（ステップＳ２０３）、接続要求の要求元の移動体通信端末１０に対して、RRC Connection Setupを送信する（ステップＳ２０４）。
【００６４】
一方では、ＬＴＥ基地局３０が設定可能であると判定した場合には（ステップＳ２０２肯定）、再送信依頼送信部２５ｂは、ＬＴＥ基地局３０の制御装置識別情報を管理テーブルから取得する（ステップＳ２０５）。続いて、再送信依頼送信部２５ｂは、接続要求の要求元の移動体通信端末１０に対してＬＴＥ基地局３０の制御装置識別情報を含んだ接続要求の再送信依頼を送信する（ステップＳ２０６）。
【００６５】
（ＬＴＥ基地局３０）
図１１は、ＬＴＥ基地局３０による通信回線設定処理の流れを示すフローチャート図である。図１１に示すように、サービス判定部３５ａは、移動体通信端末１０から接続要求を受信すると（ステップＳ３０１肯定）、自ら通信回線を設定可能か否かを判定する（ステップＳ３０２）。
【００６６】
ここで、自ら通信回線を設定可能であると判定した場合には（ステップＳ３０２肯定）、通信回線設定部３５ｃは、自ら通信回線を設定し（ステップＳ３０３）、接続要求の要求元の移動体通信端末１０に対して、RRC Connection Setupを送信する（ステップＳ３０４）。
【００６７】
一方では、自ら通信回線を設定できないと判定した場合には（ステップＳ３０２否定）、再送信依頼送信部３５ｂは、無線ネットワーク制御装置２０の制御装置識別情報を管理テーブルから取得する（ステップＳ３０５）。続いて、再送信依頼送信部３５ｂは、接続要求の要求元の移動体通信端末１０に対して無線ネットワーク制御装置２０の制御装置識別情報を含んだ接続要求の再送信依頼を送信する（ステップＳ３０６）。
【００６８】
［実施例１による効果］
上述してきたように、実施例１に係る通信システムによれば、全てのサービスを提供することが可能であり、かつ、高速な通信速度でサービスを提供することが可能である。
【実施例２】
【００６９】
［通信システムの構成］
図１２は、実施例２に係る無線ネットワーク制御装置の構成を示す図である。実施例２に係る無線ネットワーク制御装置２０は、以下に説明する点が実施例１の無線ネットワーク制御装置２０とは異なる。
【００７０】
すなわち、データ量判定部２５ｄは、サービス判定部２５ａによってＬＴＥ基地局３０が通信回線を設定可能であると判定された場合に、通信されるデータ種別に応じたデータ量を判定する。なお、例えば、移動体通信端末１０がやり取りするデータの種別がストリーミングデータである場合には比較的大容量なデータとなり、メールなどのパケットデータである場合には比較的小容量のデータとなる。
【００７１】
再送信依頼送信部２５ｂは、データ量判定部２５ｄによって判定されたデータ種別のデータ量が所定の閾値を超えている場合には、例えば、ストリーミングデータなどの大容量データを通信する接続要求であると判定し、接続要求の要求元の移動体通信端末１０に対して、ＬＴＥ基地局３０の制御装置識別情報を含んだ接続要求の再送信依頼を送信する。
【００７２】
通信回線設定部２５ｃは、データ量判定部２５ｄによって判定されたデータ種別のデータ量が所定の閾値以下である場合には、例えば、メールなどの小容量データを通信する接続要求であると判定し、パケットサービスを提供するサーバと、接続要求の要求元の移動体通信端末１０との間で無線交換局を介した通信回線を設定する。
【００７３】
［通信システムによる処理］
図１３は、実施例２に係る無線ネットワーク制御装置による通信回線設定処理の流れを示すフローチャート図である。図１３に示すように、データ量判定部２５ｄは、サービス判定部２５ａによってＬＴＥ基地局３０が通信回線を設定可能であると判定した場合に（ステップＳ４０２肯定）、小容量データを通信する接続要求であるかを判定する（ステップＳ４０３）。
【００７４】
ここで、小容量データを通信する接続要求であると判定すると（ステップＳ４０３肯定）、通信回線設定部２５ｃは、自ら通信回線を設定し（ステップＳ４０４）、接続要求の要求元の移動体通信端末１０に対して、RRC Connection Setupを送信する（ステップＳ４０５）。
【００７５】
一方では、大容量データを通信する接続要求であると判定すると（ステップＳ４０３否定）、再送信依頼送信部２５ｂは、ＬＴＥ基地局３０の制御装置識別情報を管理テーブルから取得する（ステップＳ４０６）。続いて、再送信依頼送信部２５ｂは、接続要求の要求元の移動体通信端末１０に対してＬＴＥ基地局３０の制御装置識別情報を含んだ接続要求の再送信依頼を送信する（ステップＳ４０７）。
【００７６】
［実施例２による効果］
上述してきたように、実施例２によれば、ＬＴＥシステムを利用するメリットが少ない小容量データのサービスであれば、無線ネットワーク制御装置２０が自ら通信回線を設定するので、通信回線の設定が完了するまでの時間を短縮することができる。
【００７７】
なお、上述した実施例２は、一実施の形態にすぎず、例えば、ストリーミングサービスに関する接続要求についてはＬＴＥ基地局３０に処理させ、メールに関する接続要求については無線ネットワーク制御装置２０に処理させるように、予めシステム管理者が定義づけしておいてもよい。そして、ＬＴＥ基地局３０がストリーミングサービスに関する接続要求を受けた場合には、ＬＴＥ基地局３０自らが処理し、メールに関する接続要求を移動体通信端末１０から受けた場合には、接続要求を無線ネットワーク制御装置２０に再送信するように移動体通信端末１０に依頼する。同様に、無線ネットワーク制御装置２０がメールに関する接続要求を移動体通信端末１０から受けた場合には、無線ネットワーク制御装置２０自らが処理し、ストリーミングサービスに関する接続要求を受けた場合には、接続要求をＬＴＥ基地局３０に再送信するように移動体通信端末１０に依頼する。このようにすることで、サービスにより特徴を持たせることができる。
【実施例３】
【００７８】
［通信システムの構成］
実施例３に係る通信システムの構成は、以下に説明する点が実施例１の通信システムの構成とは異なる。
【００７９】
図１４は、周波数情報の一例を示した図である。接続要求送信制御部１６ａは、受信レベルが最も高い無線電波を発信している基地局に対して、受信レベル一覧に列挙されている周波数の周波数コードや受信レベルを示した周波数情報（OPTION：measuredResultsOnRACHやMEASUREMENT REPORTと同等の情報）、およびサービス識別情報を含んだ接続要求を送信する。
【００８０】
例えば、接続要求送信制御部１６ａは、受信レベル一覧にユーザが契約済のキャリアに属する周波数が列挙されている場合には、図１４の（Ａ）に示すように、ユーザが契約済のキャリアに属する周波数の周波数コードと、受信レベルとを対応付けてなる周波数情報およびサービス識別情報を含んだ接続要求をRRC Connection Requestに付与して送信する。また、接続要求送信制御部１６ａは、受信レベル一覧にユーザが契約済のキャリアに属する周波数が列挙されていない場合には、図１４の（Ｂ）に示すように、ユーザが契約を行っていない他キャリアに属する周波数の周波数コードと、受信レベルとを対応付けてなる周波数情報およびサービス識別情報を含んだ接続要求をRRC Connection Requestに付与して送信する。
【００８１】
図１５は、実施例３に係る無線ネットワーク制御装置の構成を示す図である。図１６は、実施例３に係る管理テーブル記憶部に記憶される情報の一例を示した図である。管理テーブル記憶部２２ａは、図１６に示すように、制御装置識別情報に対応付けて、無線ネットワーク制御装置２０およびＬＴＥ基地局３０が通信回線を設定することが可能な状態にあるか否かを示した設定可否情報を記憶する。また、管理テーブル記憶部２２ａは、制御装置識別情報に対応付けて、キャリアの設定可否情報、および無線交換局の設定可否情報を記憶する。
【００８２】
ここで、設定可否情報は、各装置において輻輳が発生し、通信回線の設定が不能な状態になると、「回線設定可能状態」から「回線設定不能状態」に更新される。例えば、図１６は、ＲＮＣ＃ｂにおける管理テーブル記憶部２２ａに記憶される情報の一例であり、ＭＭＣ＃Ｘが通信回線を設定できない状況にあることを意味する。
【００８３】
設定可否判定部２５ｅは、移動体通信端末１０から接続要求を受信した場合に、管理テーブル記憶部２２ａにおけるキャリアの設定可否情報を参照して、自キャリアが通信回線を設定することが可能な状態にあるか否かを判定する。ここで、設定可否判定部２５ｅは、自キャリアにより通信回線を設定できないと判定すると、発信接続要求であるか否かを判定する。
【００８４】
自キャリアにより通信回線を設定できると判定した場合の処理について説明すると、設定可否判定部２５ｅは、管理テーブル記憶部２２ａに、自装置のＬＡＩと同一のＬＡＩに対応付けて、提供するサービスのサービス識別情報が格納されているか否かを判定する。言い換えると、設定可否判定部２５ｅは、現在サービスを提供することが可能な無線ネットワーク制御装置２０または、ＬＴＥ基地局３０があるか否かを判定する。
【００８５】
サービス判定部２５ａは、設定可否判定部２５ｅによってサービス識別情報が格納されていると判定された場合に、接続を要求されたサービスの通信回線をＬＴＥ基地局３０が設定可能か否かを判定する。
【００８６】
再送信依頼送信部２５ｂは、管理テーブル記憶部２２ａから通信回線を設定することが可能な状態にある制御装置の制御装置識別情報を取得し、接続要求の要求元の移動体通信端末１０に対して、取得した制御装置識別情報によって識別される制御装置宛の接続要求の再送信を依頼する。
【００８７】
具体的には、再送信依頼送信部２５ｂは、サービス判定部２５ａにてＬＴＥ基地局３０が通信回線を設定できないと判定した場合に、管理テーブル記憶部２２ａを参照して、自装置の上位にある無線交換局が通信回線を設定することができる状態にあるか否かを判定する。ここで、再送信依頼送信部２５ｂは、自装置の上位にある無線交換局が通信回線を設定できない状態にあると判定すると、接続要求の要求元の移動体通信端末１０に対して、他の無線交換局の下位にある無線ネットワークの制御装置識別情報を含んだ接続要求の再送信依頼を送信する。
【００８８】
一方では、再送信依頼送信部２５ｂは、自装置の上位にある無線交換局が通信回線を設定できる状態にあると判定すると、管理テーブル記憶部２２ａを参照して、自装置が通信回線を設定することができる状態にあるか否かを判定する。ここで、再送信依頼送信部２５ｂは、自装置が通信回線を設定できない状態にあると判定すると、接続要求の要求元の移動体通信端末１０に対して、自装置と同一の無線交換局に接続されている無線ネットワークの制御装置識別情報を含んだ接続要求の再送信依頼を送信する。
【００８９】
なお、再送信依頼送信部２５ｂは、設定可否判定部２５ｅによって発信接続要求でないと判定された場合には、接続要求の要求元の移動体通信端末１０に対して、通信回線の設定ができないことを示すメッセージを送信する。また、再送信依頼送信部２５ｂは、設定可否判定部２５ｅによって発信接続要求であると判定された場合には、接続要求の要求元の移動体通信端末１０に対して、他キャリアに属する制御装置宛の接続要求の再送信依頼を送信する。また、再送信依頼送信部２５ｂは、設定可否判定部２５ｅによって受信した接続要求に対応するサービス識別情報が格納されていないと判定された場合には、接続要求の要求元の移動体通信端末１０に対して、通信回線の設定ができないことを示すメッセージを送信する。
【００９０】
通信回線設定部２５ｃは、再送信依頼送信部２５ｂによって自装置が通信回線を設定できる状態にあると判定された場合に、サービスを提供するサーバと、接続要求の要求元の移動体通信端末１０との間で無線交換局を介した通信回線を設定する。
【００９１】
［無線ネットワーク制御装置による処理］
図１７は、実施例３に係る無線ネットワーク制御装置による通信回線設定処理の流れを示すフローチャート図である。図１７に示すように、設定可否判定部２５ｅは、移動体通信端末１０から接続要求を受信すると（ステップＳ５０１肯定）、自キャリアが通信回線を設定することが可能な状態にあるか否かを判定する（ステップＳ５０２）。
【００９２】
ここで、自キャリアにより通信回線を設定できると判定すると（ステップＳ５０２肯定）、設定可否判定部２５ｅは、自装置のＬＡＩと同一のＬＡＩに対応付けて、受信した接続要求に対応するサービス識別情報が格納されているか否かを判定する（ステップＳ５０３）。
【００９３】
ここで、サービス識別情報が格納されていないと判定すると（ステップＳ５０３否定）、再送信依頼送信部２５ｂは、接続要求の要求元の移動体通信端末１０に対して、通信回線の設定ができないことを示すメッセージを送信する（ステップＳ５０４）。
【００９４】
サービス識別情報が格納されていると判定すると（ステップＳ５０３肯定）、サービス判定部２５ａは、ＬＴＥ基地局３０が通信回線を設定可能か否かを判定する（ステップＳ５０５）。
【００９５】
ここで、ＬＴＥ基地局３０が通信回線を設定できないと判定した場合には（ステップＳ５０５否定）、再送信依頼送信部２５ｂは、自キャリア内における設定可否判定処理を行う（ステップＳ５０６）。
【００９６】
一方では、ＬＴＥ基地局３０が通信回線を設定可能であると判定した場合には（ステップＳ５０５肯定）、再送信依頼送信部２５ｂは、ＬＴＥ基地局３０の制御装置識別情報を管理テーブルから取得する（ステップＳ５０７）。続いて、再送信依頼送信部２５ｂは、接続要求の要求元の移動体通信端末１０に対してＬＴＥ基地局３０の制御装置識別情報を含んだ接続要求の再送信依頼を送信する（ステップＳ５０８）。
【００９７】
ステップＳ５０２の説明に戻ると、自キャリアにより通信回線を設定できないと判定すると（ステップＳ５０２否定）、設定可否判定部２５ｅは、発信接続要求であるか否かを判定する（ステップＳ５０９）。
【００９８】
ここで、発信接続要求であると判定すると（ステップＳ５０９肯定）、再送信依頼送信部２５ｂは、接続要求の要求元の移動体通信端末１０に対して、他キャリアに属する制御装置宛の接続要求の再送信依頼を送信する（ステップＳ５１０）。
【００９９】
一方では、発信接続要求でないと判定すると（ステップＳ５０９否定）、再送信依頼送信部２５ｂは、接続要求の要求元の移動体通信端末１０に対して、通信回線の設定ができないことを示すメッセージを送信する（ステップＳ５０４）。
【０１００】
図１８は、設定可否判定処理の流れを示すフローチャート図である。図１８に示すように、接続要求が音声サービスの接続要求であると判定すると（設定可否判定処理スタート）、再送信依頼送信部２５ｂは、自装置の上位にある無線交換局が通信回線を設定することができる状態にあるか否かを判定する（ステップＳ６０１）。
【０１０１】
ここで、自装置の上位にある無線交換局が通信回線を設定できない状態にあると判定すると（ステップＳ６０１否定）、再送信依頼送信部２５ｂは、接続要求の要求元の移動体通信端末１０に対して、他の無線交換局の下位にある無線ネットワーク制御装置２０の制御装置識別情報を含んだ接続要求の再送信依頼を送信する（ステップＳ６０２）。
【０１０２】
一方では、自装置の上位にある無線交換局が通信回線を設定できる状態にあると判定すると（ステップＳ６０１肯定）、再送信依頼送信部２５ｂは、自装置が通信回線を設定することができる状態にあるか否かを判定する（ステップＳ６０３）。
【０１０３】
自装置が通信回線を設定できない状態にあると判定すると（ステップＳ６０３否定）、再送信依頼送信部２５ｂは、接続要求の要求元の移動体通信端末１０に対して、自装置と同一の無線交換局に接続されている無線ネットワーク制御装置２０の制御装置識別情報を含んだ接続要求の再送信依頼を送信する（ステップＳ６０４）。
【０１０４】
一方では、自装置が通信回線を設定できる状態にあると判定すると（ステップＳ６０３肯定）、通信回線設定部２５ｃは、音声サービスを提供するサーバと、接続要求の要求元の移動体通信端末１０との間で無線交換局を介した通信回線を設定する（ステップＳ６０５）。
【０１０５】
［実施例３による効果］
上述してきたように、実施例３によれば、移動体通信端末１０に通信回線を設定することが可能な制御装置に対して接続要求を再送信させるので、通信回線の設定が完了するまでの時間を短縮することができる。また、自キャリア全体が通信回線の設定ができない状態にある場合であっても、移動体通信端末１０に他キャリアの制御装置に対して接続要求を再送信させるので、通信回線の設定が完了するまでの時間を短縮することができる。
【０１０６】
また、通信回線を設定することができない制御装置に対して移動体通信端末１０が繰り返し接続要求を送信することを防止できるため、無線ネットワークの負荷を軽減することができる。
【０１０７】
なお、実施例３では、無線ネットワーク制御装置２０による設定可否判定処理を説明したが、ＬＴＥ基地局３０が上述してきた設定可否判定処理を実行するようにしても良い。すなわち、管理テーブル記憶部３２ａは、制御装置識別情報に対応付けて、無線ネットワーク制御装置２０およびＬＴＥ基地局３０が通信回線を設定することが可能な状態にあるか否かを示した設定可否情報を記憶する。そして、再送信依頼送信部３５ｂは、移動体通信端末１０から受け付けた接続要求に対して自ら通信回線の設定ができない状態にある場合に、管理テーブル記憶部３２ａから通信回線を設定することが可能な制御装置を特定し、特定した制御装置宛の接続要求の再送信を依頼する。
【実施例４】
【０１０８】
以下に、通信システム、通信方法および制御装置の他の実施形態について説明する。
【０１０９】
（１）システム構成
例えば、図３に示した移動体通信端末１０の構成、図５に示した無線ネットワーク制御装置２０の構成、および、図７に示したＬＴＥ基地局３０の構成は機能概念的なものであり、必ずしも物理的に図示の如く構成されていることを要しない。すなわち、各装置の分散・統合の具体的形態は図示のものに限られず、例えば、無線ネットワーク制御装置２０において、再送信依頼送信部２５ｂと通信回線設定部２５ｃとを統合する。このようにして、各装置の全部または一部を、各種の負荷や使用状況などに応じて、任意の単位で機能的または物理的に分散・統合して構成することができる。さらに、各装置にて行なわれる処理機能（図９〜図１１参照）は、その全部または任意の一部が、ＣＰＵおよび当該ＣＰＵにて解析実行されるプログラムにて実現され、あるいは、ワイヤードロジックによるハードウェアとして実現され得る。
【０１１０】
（２）通信方法
上記の実施例で説明した無線ネットワーク制御装置２０およびＬＴＥ基地局３０により、以下のような通信方法が実現される。すなわち、無線ネットワーク制御装置２０により、移動体通信端末から第１のサービスに関する接続を要求する第１のサービス接続要求を受け付けた場合に、第１のサービス接続要求の要求元の移動体通信端末に対して、自装置よりも高速な通信速度の通信回線を設定することが可能な第二の制御装置宛の第１のサービス接続要求の再送信を依頼する第一の再送信依頼ステップ（図１０のステップＳ２０６参照）を含む通信方法が実現される。また、ＬＴＥ基地局３０３０により、移動体通信端末から第２のサービスに関する接続を要求する第２のサービス接続要求を受け付けた場合に、第２のサービス接続要求の要求元の移動体通信端末に対して、第２のサービスの通信回線を設定することが可能な第一の制御装置宛の第２のサービス接続要求の再送信を依頼する第二の再送信依頼ステップ（図１１のステップＳ３０６参照）を含む通信方法が実現される。
【符号の説明】
【０１１１】
１０  移動体通信端末
１１  共用部
１２  メモリ
１３  ベースバンド処理部
１４  送信部
１５  受信部
１５ａ  受信レベル測定部
１５ｂ  受信レベル比較部
１６  制御部
１６ａ  接続要求送信制御部
１６ｂ  接続処理部
１６ｃ  再送信制御部
２０  無線ネットワーク制御装置
２１  外部ＩＦ部
２２  メモリ
２２ａ  管理テーブル記憶部
２３  Ｃ−Ｐｌａｎｅ処理部
２４  Ｕ−Ｐｌａｎｅ処理部
２５  制御部
２５ａ  サービス判定部
２５ｂ  再送信依頼送信部
２５ｃ  通信回線設定部
２５ｄ  データ量判定部
２５ｅ  設定可否判定部
３０  ＬＴＥ基地局
３１  外部ＩＦ部
３２  メモリ
３２ａ  管理テーブル記憶部
３３  Ｃ−Ｐｌａｎｅ処理部
３４  Ｕ−Ｐｌａｎｅ処理部
３５  制御部
３５ａ  サービス判定部
３５ｂ  再送信依頼送信部
３５ｃ  通信回線設定部
【図１】
2010278565.tif 000003
【図２】
2010278565.tif 000004
【図３】
2010278565.tif 000005
【図４】
2010278565.tif 000006
【図５】
2010278565.tif 000007
【図６】
2010278565.tif 000008
【図７】
2010278565.tif 000009
【図８】
2010278565.tif 000010
【図９】
2010278565.tif 000011
【図１０】
2010278565.tif 000012
【図１１】
2010278565.tif 000013
【図１２】
2010278565.tif 000014
【図１３】
2010278565.tif 000015
【図１４】
2010278565.tif 000016
【図１５】
2010278565.tif 000017
【図１６】
2010278565.tif 000018
【図１７】
2010278565.tif 000019
【図１８】
2010278565.tif 000020